(57)【要約】      （修正有）【課題】自動二輪車に付設する荷物収納箱において、完全に分離した複数の収納部を設け、収納物を容易に収納でき、且つ取り出すことができる自動二輪車用荷物収納箱を提供する。【解決手段】開口部を有し、荷物を収納する箱本体１と、前記箱本体の前記開口部に中蓋ヒンジ材を介して、開閉可能に連結され、且つ荷物収納部を設けた中蓋体２と、中蓋体２縁部に上蓋ヒンジ材を介して、開閉可能に連結された上蓋体３と、上蓋体３及び中蓋体２が閉鎖される際に、箱本体１と上蓋体３とを係止する主ロック手段とを備え、主ロック手段によって、箱本体１と中蓋体２と上蓋体３とを閉鎖状態に保持する。【選択図】図５
0003150427.tif 000002
【実用新案登録請求の範囲】
【請求項１】
開口部を有し、荷物を収納する箱本体と、前記箱本体の前記開口部に中蓋ヒンジ部材を介して、開閉可能に連結され、且つ荷物収納部を設けた中蓋体と、前記中蓋体縁部に上蓋ヒンジ部材を介して、開閉可能に連結された上蓋体と、前記箱本体と前記上蓋体とを係止する主ロック手段とを備え、前記主ロック手段によって、前記箱本体と前記中蓋体と前記上蓋体とを閉鎖状態に保持できることを特徴とする自動二輪車用荷物収納箱
【請求項２】
請求項１記載の自動二輪車用荷物収納箱であって、前記中蓋体と前記上蓋体とを係止する副ロック手段とを備え、前記副ロック手段によって、前記中蓋体と前記上蓋体とを閉鎖状態に保持できることを特徴とする自動二輪車用荷物収納箱
【請求項３】
請求項１〜２いずれか記載の自動二輪車用荷物収納箱であって、前記中蓋ヒンジ部材は、前記自動二輪車用荷物収納箱の背面に取り付けられ、前記上蓋ヒンジ部材は、前記自動二輪車用荷物収納箱の左側面若しくは右側面に取り付けられていることを特徴とする自動二輪車用荷物収納箱
【請求項４】
請求項１〜３いずれか記載の自動二輪車用荷物収納箱であって、前記主ロック手段は、前記自動二輪車用荷物収納箱の正面に取り付けられ、前記副ロック手段は、前記自動二輪車用荷物収納箱の左側面若しくは右側面に取り付けられていることを特徴とする自動二輪車用荷物収納箱
【請求項５】
請求項１〜４いずれか記載の自動二輪車用荷物収納箱であって、前記中蓋体縁部又は前記上蓋体縁部、若しくは双方の縁部に少なくともひとつ以上の凹状の窪みを設けていることを特徴とする自動二輪車用荷物収納箱
【考案の詳細な説明】
【技術分野】
【０００１】
本考案は、荷物を収納するための自動二輪車用荷物収納箱（以下、「荷箱」とする。）に関する。
【背景技術】
【０００２】
自動二輪車は収納スペースがあまりないため、物品の集配等を行う際には、後部荷台に荷物収納箱を着設することが行われている。そして、このような自動二輪車用トランクに関する技術が開示されている。
【先行技術文献】
【特許文献】
【０００３】
【特許文献１】特開２０００−１２８０４３
【特許文献２】特開２００７−２８３９８８
【考案の概要】
【考案が解決しようとする課題】
【０００４】
自動二輪車にて、書類の集配、飲食料品の配達等を行う場合、それらを後部荷台に着設した荷物収納箱に収納して行われるのが通常である。
【０００５】
自動二輪車を降雨時に運転する場合、雨合羽を着用することが多いが、前述の通り、自動二輪車は収納スペースが限られるために、荷物収納箱が取り付けられている場合には、そこに雨合羽を収納できることが望まれる。
しかし、降雨時に着用した後、脱衣した濡れている雨合羽を収納する場合には、収納箱に仕切りがない場合には、収納箱内の荷物を濡らしてしまうことがある。さらに、収納箱は密閉されているのが通常であるため、濡れた雨合羽と荷物を同一箱内に収納すると、荷物が湿気を帯びてしまうことがあった。
【０００６】
このような不具合を防ぐために、収納箱内に完全に分離した複数の収納スペースを設けようとする場合、その構造も複雑となり、収納手順も煩雑になる等の問題があった。
【０００７】
そこで、本考案は荷箱に、収納部を設けた中蓋体を備えることによって、上記問題を解決し、雨合羽と荷物を完全に隔離した状態で収納でき、且つ両者を容易に収納・取出することができる荷箱を提供することを目的とする。
【課題を解決するための手段】
【０００８】
請求項１記載の荷箱は、開口部を有し、荷物を収納する箱本体と、前記箱本体の前記開口部に中蓋ヒンジ部材を介して、開閉可能に連結され、且つ荷物収納部を設けた中蓋体と、前記中蓋体縁部に上蓋ヒンジ部材を介して、開閉可能に連結された上蓋体と、前記箱本体と前記上蓋体とを係止する主ロック手段とを備え、前記主ロック手段によって、前記箱本体と前記中蓋体と前記上蓋体とを閉鎖状態に保持できることを特徴とする。
【０００９】
前記の考案によれば、中蓋体・上蓋体それぞれ独立して開閉可能な蓋体を、係止手段ひとつによって、閉鎖状態を保持することが可能となる。
【００１０】
請求項２記載の荷箱は、請求項１記載の荷箱であって、前記中蓋体と前記上蓋体とを係止する副ロック手段とを備え、前記副ロック手段によって、前記中蓋体と前記上蓋体とを閉鎖状態に保持できることを特徴とする。
【００１１】
前記の考案によれば、上蓋体と中蓋体とを固定できるため、中蓋体の収納スペースを必要としない使用状況の場合、通常の蓋体ひとつの荷箱と同様の使い方が可能となる。
【００１２】
請求項３記載の荷箱は、請求項１〜２いずれか記載の荷箱であって、前記中蓋ヒンジ部材は前記荷箱の背面に取り付けられ、前記上蓋ヒンジ部材は取り付けられていることを特徴とする。
【００１３】
前記の考案によれば、中蓋体が箱本体背面方向の斜め上方向に開き、上蓋体が箱本体の左側面方向若しくは右側面方向の斜め上方向に開くことにより、それぞれの開閉方向が異なることによって、夜間等の視認が困難な状況下においても、上蓋体・中蓋体それぞれを明確に開閉可能となる。
【００１４】
請求項４記載の荷箱は、請求項１〜３いずれか記載の荷箱であって、前記主ロック手段は、前記荷箱の正面に取り付けられ、前記副ロック手段は、前記荷箱の左側面若しくは右側面に取り付けられていることを特徴とする。
【００１５】
前記の考案によれば、主ロック手段が正面に、副ロック手段が左方若しくは右方に取り付けられていることにより、それぞれのロック手段が異なる面にあることから、夜間等の視認が困難な状況下においても、主ロック・副ロックそれぞれを明確に識別可能となる。
【００１６】
請求項５記載の荷箱は、請求項１〜４いずれか記載の荷箱であって、前記中蓋体縁部又は前記上蓋体縁部、若しくは双方の縁部に少なくともひとつ以上の凹状の窪みを設けていることを特徴とする。
【００１７】
前記の考案によれば、凹状の窪みに指先を掛けることにより、雨等によって蓋体が濡れている状況下においても、蓋体の保持が容易となり、開閉操作の補助となる。
【考案の効果】
【００１８】
本考案によれば、荷箱に、収納部を設けた中蓋体を備えることによって、完全に隔離した複数の収納部を有するとともに、そこに収納した荷物を容易に収納・取り出しすることができる等の優れた効果を得ることができる。
【図面の簡単な説明】
【００１９】
【図１】本考案の実施の形態における正面図である。
【図２】本考案の実施の形態における背面図である。
【図３】本考案の実施の形態における左側面図である。
【図４】本考案の実施の形態における右側面図である。
【図５】本考案の実施の形態において、上蓋体・中蓋体ともに閉鎖した状態の斜視図である。
【図６】本考案の実施の形態において、中蓋体を開放した状態の斜視図である。
【図７】本考案の実施の形態において、上蓋体を開放し、中蓋体を閉鎖した状態の斜視図である。
【図８】本考案の実施の形態における主ロック手段の正面図である。
【考案を実施するための形態】
【００２０】
以下、図面を参照しつつ、考案の実施の形態について説明する。なお、本実施の形態については、自動二輪車の後部荷台に、荷箱正面を自動二輪車の後方向に向けて着設する、一辺が５０ｃｍ程度の直方体の荷箱について説明する。
【００２１】
なお、本考案の実施の形態の説明としては、荷箱の形状として直方体としているが、特に限定されるものでなく、任意の形状としても実施可能である。
また、その寸法については限定されるものではないが、自動二輪車に着設することができれば実施可能である。そして、箱本体・中蓋体及び上蓋体の素材としては、樹脂素材、繊維素材、金属素材等が使用可能であるが、強度・軽量化・耐久性等の観点からＦＲＰ素材が最適である。
【００２２】
本考案の実施の形態に係る荷箱について説明をする。
本実施例においては、荷箱の底面を自動二輪車後部荷台にボルトを介して固定するよう想定しているが、荷箱の寸法によっては自動二輪車の前部・後部側面にも取付は可能である。
【００２３】
図１〜４は、それぞれ荷箱の正面図、背面図、左側面図、右側面図である。
本実施例においては、箱本体１開口部は上方向に開口する構造となっているが、横方向に開口する構造とすることも可能である。
また、本実施例においては、左右及び中央の中蓋ヒンジ部材１１は背面、左右一対の上蓋ヒンジ部材２１は左側面に取り付けられているが、任意の面に取り付けることも可能であり、取付数も任意とすることができる。中蓋ヒンジ部材１１・上蓋ヒンジ部材２１とも背面に取り付ければ、中蓋体２・上蓋体３とも箱本体背面方向の斜め上方向に開くこととなる。なお、ヒンジ部材は箱本体１・中蓋体２・上蓋体３に外設されているが、内設することも可能である。
そして、本実施例においては、主ロック手段は正面、副ロック手段は右側面にそれぞれひとつ取り付けられているが、任意の面に取り付けることも可能であり、取付数も任意とすることができる。主ロック手段・副ロック手段とも正面に取り付ければ、箱本体正面からの双ロック手段の操作が可能となる。
なお、主ロック手段として、上蓋体３の一端部にラッチ部材３２、箱本体１の開口縁部に該ラッチ部材に係合する係合部材１３を設けたラッチ機構としているが、上蓋体３の開閉ロックが可能なものであればよく、マグネット等を用いた構造とすることもできる。副ロック手段も主ロック手段と同様にマグネット等を用いた構造とすることができるが、本実施例においては、中蓋体２の一端部にラッチ部材２２、上蓋体３の一端部に該ラッチ部材に係合する係合部材３３を設けたラッチ機構としている。
【００２４】
次に荷箱の使用方法について説明する。
【００２５】
主ロック手段は、上蓋体３の一端部に装着されるラッチ部材３２と、箱本体１の開口縁部に装着される係合部材１３によって構成され、ラッチ部材３２と係合部材１３との係合作用によって、図５に示すように上蓋体３が閉鎖状態にて保持される。ここで、中蓋体２の一端部は中蓋ヒンジ材１１によって、箱本体１と連結されており、中蓋体２の反対側の一端部が主ロック手段によって係合される箱本体１と上蓋体３とに狭持されることにより、中蓋体２も閉鎖状態にて保持されることとなる。
ここで、ラッチ部材３２と係合部材１３の係合状態を解除することにより、中蓋ヒンジ材１１に軸支される中蓋体２、上蓋ヒンジ材２１に軸支される上蓋体３ともに開閉自在となる。
【００２６】
副ロック手段は、中蓋体２の一端部に装着されたラッチ部材２２と、上蓋体３の一端部に装着された係合部材３３によって構成され、ラッチ部材２２と係合部材３３との係合作用によって、中蓋体２と上蓋体３とが閉鎖状態にて保持される。そして、主ロック手段が解除されている場合には、図６に示すように中蓋ヒンジ材１１に軸支される中蓋体２は開閉自在となり、副ロック手段によって中蓋体２と結合された上蓋体３は、中蓋体２と協動することとなる。
ここで、ラッチ部材２２と係合部材３３の係合状態を解除することにより、上蓋体３は中蓋体２との結合状態が解除され、中蓋体２の状態にかかわらず、図７に示すように上蓋体３独自に開閉自在となる。
【００２７】
ここで、例として、書類と雨具を収納する場合について説明する。
【００２８】
書類の集配に荷箱を使用する場合、上蓋体３と中蓋体２とを開放し、箱本体収納部１４に集配書類を収納することとなるが、収納に際し、副ロック手段のロック状態の如何は問わないが、ロックされている場合、上蓋体３と中蓋体２とが結合され、協働するため、開閉動作が容易となる。この際、図８に示すように中蓋体２の正面縁部に左右寸法１０ｃｍ程度のふたつの凹状の窪み２５を設けているため、指先を掛けることによって、開閉操作がし易くなっており、結合されている上蓋体３と中蓋体２とを、箱本体１の背面斜め上方向に開放し、書類を箱本体収納部１４に収納する。
【００２９】
次に、結合されている上蓋体３と中蓋体２とを閉鎖し、副ロック手段を解除して、上蓋体３のみを箱本体１左側面の斜め上方向に開放する。この状態では、箱本体１と中蓋体２とは係止状態にはなく、自動二輪車を走行させるのは危険であるが、自動二輪車に振動・衝撃を与えない限り、中蓋体２自体の重量によって、中蓋体２の閉鎖状態は維持される。なお、ここで箱本体収納部１４の開口部は中蓋体２によって塞がれており、中蓋体収納部２４とは完全に隔離されている。
そして、中蓋収納部２４に脱衣した雨具を収納し、上蓋体３を箱本体１右側面の中蓋体収納部２４開口部方向に閉鎖することによって、上蓋体３が中蓋体収納部２４の開口部を覆い、左側面の副ロック手段であるラッチ部材２２と係合部材３３とを係合することにより、上蓋体３と中蓋体２とが結合されて、中蓋体収納部２４の開口部が塞がれているため、結合されている上蓋体３と中蓋体２とを開放して、箱本体収納部１４の開口部が露出した場合であっても、箱本体収納部１４と中蓋収納部２４とは完全に隔離されることとなる。そのため、中蓋体収納部２４に収納される雨具が濡れていても、箱本体収納部１４に収納される書類を濡らすことはなく、湿気による影響も及ばない。
【００３０】
さらに、正面の主ロック手段のみをロックすることによって、ラッチ部材３２と係合部材１３との係合作用により、上蓋体３と中蓋体２と箱本体１との閉鎖状態が保持されることとなり、自動二輪車が走行可能な状態となる。
そして、集配等によって、書類を取り出したり、追加収納する際には、主ロック手段のみを解除することによって、上蓋体３と中蓋体２との結合状態が維持されたまま、上蓋体３と中蓋体２とが開閉自在となり、箱本体収納部１４にアクセスが可能となる。
【符号の説明】
【００３１】
１              箱本体
２              中蓋体
３              上蓋体
１１            中蓋ヒンジ材
１３            係合部材
１４            箱本体収納部
２１            上蓋ヒンジ材
２２            ラッチ部材
２４            中蓋収納部
２５            窪み
３２            ラッチ部材
３３            係合部材
【図１】
0003150427.tif 000003
【図２】
0003150427.tif 000004
【図３】
0003150427.tif 000005
【図４】
0003150427.tif 000006
【図５】
0003150427.tif 000007
【図６】
0003150427.tif 000008
【図７】
0003150427.tif 000009
【図８】
0003150427.tif 000010
【手続補正書】
【提出日】平成21年4月6日(2009.4.6)
【手続補正１】
【補正対象書類名】図面
【補正対象項目名】全図
【補正方法】変更
【補正の内容】
【図１】
0003150427.tif 000011
【図２】
0003150427.tif 000012
【図３】
0003150427.tif 000013
【図４】
0003150427.tif 000014
【図５】
0003150427.tif 000015
【図６】
0003150427.tif 000016
【図７】
0003150427.tif 000017
【図８】
0003150427.tif 000018